Podtech/llm-jp-corpus-v4-ja_patent huggingface dataset:
(57)【要約】【課題】  人ゲノムならびに人体いしょくについての動物のてき当なるいでんしゲノムについての解明。【解決手段】  ホクロや人体のらかん、ぶいに、いしよくすることによって（人体いがいの生命さいほうを）ホクロやらかんぶいを消滅させること。【特許請求の範囲】
【請求項１】
ほくろと呼ばれる体に出来るもの（人体）を解明（ゲノム）して後に移しよくにてきとうな他の（人体か魚か動物かの、いでんし、これもゲノム解明して移しよくに、てきとうなものを、わりあてる。
それぞれにかいめいしたら合成してホクロに移植してじっけんする。
すると、後にホクロとガンなどが消滅する可能性があるらしい、と発案した。
【請求項２】
上記のように、エイズにも応用可能かと思われるので、エイズになるとなった細胞にか、ホクロ（らかんしやの）に動物の細胞ゲノムの、治療に、がっちするものをえらび人体へいしよくすると、人体内修復作用によって治ゆする可能性があると発案した。
その場合、いでんし合成を行なう。
【発明の詳細な説明】
【技術分野】
【０００１】医学
【背景技術】
【０００２】いでんしそうさによる治療（人体）
【発明の開示】
【発明が解決しようとする課題】［ガン・エイズの治療］
【課題を解決するための手段】［ゲノムによるいでんしそうさなど人体の生命いじ。］
【発明の効果】［人命救助］
【発明を実施するための最良の形態】ゲノムのかいめい（それぞれ）
【実施例】［なし］
【産業上の利用可能性】［人命救助による人命のいじ］
(57)【要約】【課題】皮膚塗布用の化粧料等は、皮膚に栄養分を与え、保湿を促す等の目的で塗布されるものである。特に、冬場のひび割れ、あかぎれ等の肌荒れ等を防止するため、肌の弱い人は種々のクリーム等を塗布することが多い。このような従来のクリームであっても、オイルによる効果や保湿剤による保湿効果等は期待できるが、前記した皮膚の創傷等を積極的に防止、治療するような効果は期待できない。そこで、単に保湿やオイル分を付与するだけでなく、ひび割れ等を積極的に治療する化粧料を提供する。【解決手段】シトステロール配糖体を０．００１重量％〜１０重量％混合した化粧料。【選択図】  なし【特許請求の範囲】
【請求項１】
シトステロール配糖体を０．００１重量％〜１０重量％混合したことを特徴とする化粧料。
【請求項２】
該化粧料は、皮膚用のクリームである請求項１記載の化粧料。
【請求項３】
さらにシルクの粉末を混合したものである請求項１又は２記載の化粧料。
【発明の詳細な説明】
【技術分野】
【０００１】
本発明は、化粧料に関するものである。
【背景技術】
【０００２】
皮膚塗布用の化粧料等は、皮膚に栄養分を与え、保湿を促す等の目的で塗布されるものである。
特に、冬場のひび割れ、あかぎれ等の肌荒れ等を防止するため、肌の弱い人は種々のクリーム等を塗布することが多い。
【０００３】
このような従来のクリームであっても、オイルによる効果や保湿剤による保湿効果等は期待できるが、前記した皮膚の創傷等を積極的に防止、治療するような効果は期待できない。
【発明の開示】
【発明が解決しようとする課題】
【０００４】
そこで、単に保湿やオイル分を付与するだけでなく、ひび割れ等を積極的に治療する化粧料を提供する。
【課題を解決するための手段】
【０００５】
このような現状に鑑み、本発明者は鋭意研究の結果本発化粧料を完成したものであり、その特徴とするところは、シトステロール配糖体を０．００１重量％〜１０重量％混合した点にある。
【０００６】
ここでいう化粧料は、医薬部外品も含むものとする。
本発明化粧料は、皮膚塗布用のものであり、化粧液、ハンドクリームやフェイシャルクレーム等の化粧クリーム等が好適である。
【０００７】
シトステロール配糖体とは、大豆、なたね、ピーナツその他の植物の油脂成分に含まれるもので、次の３つの化合物及びその誘導体をいう。β−Sitosteryl−β−D-glucoside 、Stigmasteryl−β−D-glucoside 、Campesteryl−β−D-glucoside である。
【０００８】
β−Sitosteryl−β−D-glucoside は、通常は大豆から抽出すると、シトステロール配糖体の約５５％がこれである。また、Stigmasteryl−β−D-glucoside は、通常は大豆から抽出すると約２０％程度含まれ、Campesteryl−β−D-glucoside は約２５％程度含まれているものである。
【０００９】
このシトステロール配糖体は、例えば、大豆中には０．００３重量％程度しか含まれていない有効成分である。これは、少量でいろいろな出血モデルに対して血管強化作用が認められている。種々の研究結果から、特に生活習慣病で痛めつけられた血管で見られる紫斑病に対して７６％の有効性が見られ、いろいろな血管系の病変を予防する成績が示されている。
【００１０】
本発明に混合するシトステロール配糖体は、上記した３つのもの、それぞれ単体でも、２種又は３種の任意の混合物のでもよい。
混合量は、０．００１重量％〜１０重量％である。０．００１以下では効果がほとんどなく、１０重量％以上では混合が難しく、且つ効果が変わらない割に高価になるためである。
好適には、０．０１重量％〜１．０重量％、特に好適には０．０５〜０．５重量％である。
【００１１】
本化粧料には、シルクの粉体を混合してもよい。これはシルクの粉体自体が皮膚の再生作用があり、前記シトステロール配糖体との相加効果でより優れたものとなる。
シルクの粉体は、化粧料用として市販されているものでよい。シルクの混合量としては、１〜１０重量％が好適である。
【００１２】
本発明化粧料としては、このシトステロール配糖体以外は通常のものでよい。要するに、通常の化粧料にこのシトステロール配糖体を添加したものである。
上記した通り、水に溶けにくいため、油性のものにするか、クリーム状にすれば混合は容易である。
【発明の効果】
【００１３】
本発明には、以下のような効果がある。
（１）  単に皮膚に塗布するだけで、あかぎれ、ひび割れ等を予防、治療するばかりか、全般的な肌あれを防止する。
（２）  保湿効果もある。
（３）  止血作用もある。
（４）  その他血管の脆弱化を防止する効果もある。
【発明を実施するための最良の形態】
【００１４】
以下実施例に従って本発明をより詳細に説明する。
【実施例】
【００１５】
実施例
本発明化粧料の実施例及び比較例の混合割合を表１に示す。
実施例１〜実施例３のシトステロール配糖体としては、大豆から抽出したものをそのまま混合物として使用した。よって、β−Sitosteryl−β−D-glucoside が約５５重量％、Stigmasteryl−β−D-glucoside が約２０重量％、Campesteryl−β−D-glucoside が約２５重量％の混合物である。
【００１６】
実施例４と５のシトステロール配糖体としては、β−Sitosteryl−β−D-glucoside のみを用いた。
【００１７】
シルク粉末は化粧品用として市販されているものを用いた。また、酸化防止剤はビタミンＣ、乳化剤も通常のクリーム用のものである。
表中の数値は重量％である。
【表１】
2009221127.tif 000002
【００１８】
また、比較例としては各実施例とほとんど同じもので、シトステロール配糖体を含まないものを用いた。
この実施例と比較例６の化粧料を、指にひび割れのある２０歳から５０歳の女性に毎日２回通常のハンドクリーム程度に指に塗布しその変化をみた。６つの化粧料について、各１０人づつであった。
１週間後の結果を表２に示す。
【表２】
2009221127.tif 000003
【００１９】
表２の数値は、人数であり、それぞれの例の１０人の被検者の何人が左欄に該当するかを示す。
この表から明らかなように、シトステロール配糖体を含むとひび割れに大きな効果があることがわかる。また、シルク粉末も効果を増強することが分かった。
(57)【要約】      （修正有）【課題】屋外に設置した家庭用石油タンクの給油口の蓋が外れないように、簡単に取り付ける事ができる施錠具を提供する。【解決手段】断面をＬ字形に形成した鉄材を給油口蓋９に嵌るようにＵ形に形成した係止板１の頂部を、直角に折り曲げた張出し部４をもつ天端板に溶着し、連結板Ａ５、Ｂ６を天端板３に溶着する。施錠具を給油口の側面からスライドさせて給油口蓋を覆い、給油口蓋と連結板Ａ、Ｂの間にストッパー７を挿入し、連結板Ａとストッパーに設けた施錠孔８に南京錠１０を装着する。【選択図】図１
2009221831.tif 000002
【特許請求の範囲】
【請求項１】
断面をＬ字形に形成した鉄材を給油口蓋に嵌るように、Ｕ形に形成した係止板の頂部を、直角に折り曲げた張出し部をもつ天端板に溶着したことを特徴とする給油口の施錠具。
【請求項２】
係止板の開口部と連結板の間にストッパーを挿入し、連結板とストッパーの施錠孔に南京錠で施錠することを特徴とする請求項１の給油口の施錠具。
【発明の詳細な説明】
【技術分野】
【０００１】  本発明は、屋外に設置した家庭用石油タンクの給油口の施錠具に関するものである。
【背景技術】
【０００２】  従来は、家庭用石油タンクの給油口の蓋は、ねじ込んで、被せるだけで、ほとんど施錠する装置が付いてなく、誰でも簡単に蓋を外すことができた。
給油口の蓋を包み込む様な施錠具があるが、蓋と施錠具に摩擦が生ずるように傾けたり、上に持ち上げたりして、施錠具を回転させると蓋も回転して蓋が外れる。
【発明の開示】
【発明が解決しようとする課題】
【０００３】そのために、次のような問題点があった。
（イ）最近、石油高騰により、石油抜き取り盗難事件が多発している。
（ロ）石油タンク全体を柵で囲ったりしていたが、費用が高かった。
（ハ）石油タンクに施錠具を取り付けるために、石油タンクにドリルで穴を明けたり溶接をすると火災や爆発の危険があった。
本発明は、これらの問題点を解決するためになされたものである。
【課題を解決するための手段】
【０００４】  断面をＬ字形に形成した鉄材をＬ字断面の底辺の凸部を内側にしてＵ字形に形成し、Ｌ字断面の垂直の頂点部を天端板に溶着する。
給油口の側面から当該施錠具をスライドして、Ｌ字断面の底辺の凸部が給油口蓋の顎の部分に引っ掛かる様に奥までスライドさせて、蓋と連結板の間にストッパーを挿入し、連結板Ａとストッパーの施錠孔に南京錠を装着する。
石油タンク本体の圧着フランジ部に接触する様に天端板にほぼ直角に折り曲げた張り出し部を設ける。
以上を特徴とする給油口の施錠具である。
【発明の効果】
【０００５】  簡単に装着でき、構造が簡単で頑丈に作ることができ、故障がなく錠を外さなければ、蓋が外れない。
回転部分やヒンジ部分がないので、溶融亜鉛めっき等の防錆処理ができる。
【発明を実施するための最良の形態】
【０００６】以下、本発明の実施の形態を説明する。
（イ）断面をＬ字形に形成した鉄材のＬ字形凸部（２）を内側に向けてＵ形に形成した係止板（１）の頂部を天端板（３）に溶着する。
（ロ）天端板（３）に、一方の端を直角に折り曲げた、張出し部（４）を設ける。
（ハ）連結板Ａ（５）と連結板Ｂ（６）を天端板（３）と係止板（１）に溶着する。
（ニ）係止板（１）と、連結板Ａ（５）連結板Ｂ（６）の間にストッパー（７）を設ける。
（ホ）連結板Ａ（５）ストッパー（７）に施錠孔（８）を設ける。
本発明は以上の構成からなるもので本発明を使用するときは、本発明の施錠具を給油口蓋（９）の横から水平に移動して給油口蓋（９）を覆い、給油口蓋（９）と連結板Ａ（５）と連結板Ｂ（６）の間にストッパー（７）を挿入し、施錠孔（８）に南京錠（１０）を装着する。
係止板（１）のＬ字形凸部（２）が給油口蓋（９）の顎の部分に掛り施錠具は上方向には持ち上がらない。
給油口蓋（９）が係止板（１）とストッパー（７）に当り水平方向も動かない。
また張出し部（４）がタンク本体の圧着フランジ（１３）に当り、回転もしない。
したがって、南京錠（１０）を外してストッパー（７）を抜かなければ、給油口蓋（９）が開かない。
【図面の簡単な説明】
【０００７】
【図１】本発明の斜視図        １
【図２】本発明の縦断面図      １
【図３】本発明の横断面図      １
【図４】本発明の平面図        １
【符号の説明】
【０００８】    １  係止板            ２  Ｌ字形凸部
３  天端板            ４  張出し部
５  連結板Ａ          ６  連結板Ｂ
７  ストッパー        ８  施錠孔
９  給油口蓋        １０  南京錠
１１  給油口          １２  タンク本体
１３  タンク本体圧着フランジ
【図１】
2009221831.tif 000003
【図２】
2009221831.tif 000004
【図３】
2009221831.tif 000005
【図４】
2009221831.tif 000006
(57)【要約】【課題】建物のクラック、目地の補修工事において、シーラント塗布を実施する際、粘性ゆえに整形が困難であった。素人でも整形できる工法が望まれている。【解決手段】シーラントを塗布した後、上からオブラートをかぶせ、ローラ等で整形する。または、オブラートをテープ状にして、転がすように塗布したシーラントの上にかぶせ、テープを切断後ローラ等で整形する施工方法。【選択図】図１
2009221832.tif 000002
【特許請求の範囲】
【請求項１】
建物等を補修する際のコーキング作業において、シーラントを塗布した後、上からオブラートをかぶせ、ローラ等で整形する。または、オブラートをテープ状にして、転がすように塗布したシーラントの上にかぶせ、テープを切断後ローラ等で整形する施工方法。
【発明の詳細な説明】
【技術分野】
【０００１】  本発明は、シーラントの塗布後の整形を容易にするものである。
【背景技術】
【０００２】  建物のクラック、目地の補修工事において、シーラント塗布を実施する際、粘性ゆえに整形が困難であった。素人でも整形できる工法が望まれている。
【発明の開示】
【発明が解決しようとする課題】
【０００３】  粘性のある材料であるシーラントの整形
【課題を解決するための手段】
【０００４】  オブラートをかぶせて上から押さえ整形する。
【発明の効果】
【０００５】  オブラートがあるため、整形時に手、へらに纏わり付かない。  シーラントが硬化したあと（約２時間から１０時間）は、雨で流れ落ちるのを待つ。  オブラートは透明のため、付いていても問題はない。さらに、乾くまで、誰かがふれても付着しないので、シーラントの拡散、汚れが防止できる。
【発明を実施するための最良の形態】
【０００６】  シート状のオブラートを塗布したシーラントの上にかぶせ、ローラ等で整形する。または、オブラートをテープ状にして、粘着テープを貼り切断する道具に、粘着テープの代わりにオブラートテープをセットして塗布したシーラントの上にかぶせ、ローラで整形する。
【実施例】
【０００７】  塗布したシーラントにシート状のオブラートをかぶせ、ローラ等で整形する。  または、オブラートをテープ状にして、粘着テープを貼り切断する道具に、粘着テープの代わりにオブラートテープをセットして塗布したシーラントの上にかぶせ、ローラ等で整形する。
【産業上の利用可能性】
【０００８】  コーキング作業
【図面の簡単な説明】
【０００９】
【図１】示した説明図である。
【符号の説明】
【００１０】  １  補修面  ２  シーラント  ３  シート状オブラート  ４  ローラ  ５  テープ状オブラート  ６  テープ芯
【図１】
2009221832.tif 000003
(57)【要約】【課題】手摺りと一体構造となる支柱の下部に、圧縮バネを設け、手摺りが自在に傾斜する手摺りを提供する。【解決手段】支柱の下部にピン軸を介し一体構造となる支柱受けを設け、その支柱受けと支柱の下部との間に圧縮バネを設ける。足を踏み外し手摺りに手の力が加わると手摺りが力の方向に傾斜する。手摺りに反動作用が取れると圧縮バネの作用により支柱は元の垂直な状態に回復する。【選択図】図３
2009221830.tif 000002
【特許請求の範囲】
【請求項１】
支柱下部に圧縮バネを設け、上部に伸縮及び角度調節機能を装着したてすり受けを設けたことを特徴とする傾斜自在てすり。
【発明の詳細な説明】
【技術分野】
【０００１】本発明は、てすりを支持する支柱に傾斜及び垂直を自在に可変できる圧縮バネを設けた階段のてすりに関するものである。
【背景技術】
【０００２】従来、階段のてすりは壁に固定されている。
【発明の開示】
【発明が解決しょうとする課題】
【０００３】そのために、次のような問題点があった。
（イ）階段のてすりを掴み上り下りするとき、万一足を踏み外したとき、てすりが壁に固定されていると手摺りから手がはなれやすい。落下等の危険がある。
本発明は、これらの問題点を解決するためになされたものである。
【課題を解決するための手段】
【０００４】支柱（１）の下部にピン軸を（１０）を介し一体構造となる支柱うけ（２）を設け、その支柱受けと支柱の下部との間に圧縮バネ（５）を設ける。
足を踏み外し手摺りに手の力が加わると手摺りが力の方向に傾斜しピン軸（１０）を介しテコの作用で圧縮バネ押さえアーム（９）が上方向に作用し圧縮バネカバー（８）を押し上げる。手摺りの反動作用が取れると圧縮バネの力により支柱は元の垂直な状態をに成る。
支柱の上部に伸縮及び角度調整機能を装着した手摺り受けを設ける。
以上を特徴とする傾斜自在手摺り。
【発明の効果】
【０００５】手摺りが固定されている階段を上り下りするとき、万一足を踏み外すと手が手摺りから離れ落下の危険があった。本考案の、傾斜自在手摺りは、手に受ける力と一緒に手摺りが傾斜し手摺りから手が離れる事が少なくなり極めて安全である。
【発明を実施するための最良の形態】
【０００６】以下、本発明の実施の形態について説明する。
（イ）支柱（１）の上部に、伸縮及び角度調節機能を装着した手摺り受け（１３）を設け、下部にピン軸（１０）を介し一体構造と成る支柱受け（２）を設ける。支柱受け（２）の上部に圧縮バネ（５）を装着するための圧縮バネ支持棒（６）を設け、圧縮バネ押さえアーム（９）の力を受る圧縮バネカバー（８）を設ける。
（ロ）固定金具（３）を、木ネジ等により階段の踏み面に固定し、その上に支柱受け（２）を固定ネジ（４）により装着する。
（ハ）手摺りを、手摺り受け（１３）に装着する。
本発明は、以上のような構成で、これを使用するときは、手摺りを手で掴み階段を上り下りする。万一足を踏み外したとき圧縮バネの作用により、手摺りが力の方向に傾斜し手が手摺りから離れにくい。
【実施例１】
【０００７】支柱は、圧縮バネの作用により通常は垂直に保持されている。
足を踏み外し手に力が加わると手摺りが力の方向に傾斜し手摺りから手が離れにくい。
【図面の簡単な説明】
【０００８】
【図１】本発明の一部を切り欠いた側面図
【図２】本発明の支柱を階段の踏み面に装着した正面図
【図３】本発明の支柱を階段の踏み面に装着し支柱が傾斜した状態を示す階段の正面から見た図
【符号の説明】
【０００９】  １  支柱
２  支柱受け
３  固定金具
４  固定ネジ
５  圧縮バネ
６  圧縮バネ支持棒
７  圧縮バネ調整ナット
８  圧縮バネカバー
９  圧縮バネ押さえアーム
１０  ピン軸
１１  支柱垂直調整ネジ
１２  支柱垂直調整ネジ受け
１３  手摺り受け
１４  手摺り傾斜角調整アーム
１５  回転滑り材
１６  バネ
１７  手摺りストッパー
【図１】
2009221830.tif 000003
【図２】
2009221830.tif 000004
【図３】
2009221830.tif 000005
(57)【要約】【課題】重力鉄道の理想的なスロープの具体的形状を提供する。【解決手段】上部から落ちる部分を比較的小さな円の円弧を軌道として使用、最下部付近で比較的大きな円の円弧の軌道を使い、適度な傾斜を持つ直線で両者の間に共通接線を引き、その部分を下降直線軌道とした。【選択図】図１
2009221829.tif 000002
【特許請求の範囲】
【請求項１】
駅中心部より真下に中心を持つ、円弧１とスロープ最下部の真上に中心を持つ円弧２、および、その共通接線３の直線部とより構成されることを特徴とする重力鉄道のスロープ軌道。
【請求項２】
駅ホームないしその付近の部分に直線部を割り込ませた請求項１の重力鉄道のスロープ軌道。
【発明の詳細な説明】
【技術分野】
【０００１】  本発明は鉄道の一種である重力鉄道における、地下に掘り込むスロープ軌道の形状に関するものである。
【背景技術】
【０００２】  従来、地下に造ったジェットコースターのような鉄道のアイデアは、以前本出願人が申請したことがある。しかしその下降、上昇トンネル軌道の具体的形状までは考えられていなかった。
【発明の開示】
【発明が解決しようとする課題】
【０００３】  地上の駅から最下部の水平機動までなだらかな曲面軌道が必要になるわけであるが、いかにしたら、速さと、乗り心地の良さと、建設維持の容易さを実現出来るかということで悩んでいた。最初に考えられる形は、上下点対称のスロープであったが、これでは、最初の加速が悪い、下方部で大きな遠心力が働くという欠点があった。またスロープの曲率が場所によって次々と変わると、トンネルの建造過程も難しく、線路のレールを作るにも、きわめて複雑になり、大幅な経費増ということになる。また一部にかなりの急斜面が出来てしまうということも、問題になっていた。
【課題を解決するための手段】
【０００４】  上下両端のスロープの形を共に、円軌道の一部（１）（２）とし、両円の共通接線（３）を直線部分として起動のスロープを造った。また上部の円軌道の半径ｒ１を小さく、下部の円軌道の半径ｒ２を大きくした。接線のスロープの傾斜角はこれを変えると、接点の位置が変わるだけで、共通接線が引ける範囲で、あるていど自由に設定できるものである。傾斜は大きいほど、速度の面で有利になるのだが、建設、維持整備の点で困難になる。またブレーキで車輪をロックした状態で、ずり落ちていくような角度にすると、困難さは大幅に増大する。上部の駅付近に直線部を設けることは、円の半径を大きくするよりも有利である。なにかと使いやすい水平部を通り過ぎた後は、すぐに急斜面に入れるためである。遠心力等の計算結果は、ここでは記さない。
【発明の効果】
【０００５】  スロープ建設時、カーブの曲率が一定のため、造りやすく、これはレールの製造時にも同様である。上部駅付近では車両のスピードが遅いため、かなり曲率が大きくても、乗り心地はあまり悪くなく、すぐ急斜面に入れるため、加速に時間がかからず、速さの面で有利である。下部の軌道の曲率が大きいことは、その部分では車両のスピードが速いため、その遠心力を和らげ、乗り心地を良くする。
もっとも加速が得られる急な坂の部分を、直線として長く取るということは、全体として同じ下降をしなければならないとき、極端な傾斜面という坂のピークがなくなり、よりなだらかな下降を可能にする。
傾斜角は大きすぎると、危険でもあり、造るのに困難、維持点検も難しくなるほか、乗り心地が悪くなる。小さすぎると速さが遅くなる欠点を持つ。
駅のところに直線部を入れると、列車の連結を長く出来、停車位置の問題にもゆとりを持て、すれ違いのための分岐点を作る場所も確保できるというメリットが生まれる。
【発明を実施するための最良の形態】
【０００６】  図に３種の寸法等の異なるスロープを示す。第１図、第３図は縦横の比が１：３のものである。記した数字の単位はｍである。直線部は見づらいので省略した。
図１にしめしたものは、深さｈが１５０ｍ、上部スロープを形成する円の半径ｒ１が深さｈの４／／３倍の２００ｍ、下部スロープを形成する円の半径ｒ２がその２倍の３００ｍ、傾斜角およそ２３度のものである。この場合は駅から最深部までの水平距離が３ｈの４５０ｍになっている。この距離を先に決めると、傾斜角θはひとりでに決まってしまい、図の場合は、それを分度器ではかった結果が２３度程度というものである。
上部円の半径を小さくすると、車輪間の中央部の腹が地面につかえるという、別な問題が発生する。
【図面の簡単な説明】
【０００７】
【図１】  数字の単位はｍ、上部円の半径１５０ｍ、下部円の半径は３００ｍである。
【図２】  上部円の半径は１５０ｍ、下部円の半径は３００ｍである。
【図３】  上部円の半径は１５０ｍ、下部円の半径は１０００ｍである。
【符号の説明】
【０００８】１  駅付近にある上部円軌道
２  最下部にある下部円軌道
３  共通接線をなす直線軌道
【図１】
2009221829.tif 000003
【図２】
2009221829.tif 000004
【図３】
2009221829.tif 000005
(57)【要約】      （修正有）【課題】片手で結束工具を持ち一本の結束線を結束工具ハッカーで手まわしで１本１本結束している結束作業の効率化を図る。【解決手段】結束機を使用結束線の収納手段を設けた事を特徴とし、ハサミ型ペンチ７を廻して結束線をねじり鉄筋を結束する。【選択図】図１１
2009221828.tif 000002
【特許請求の範囲】
【請求項１】
杷手部（１）を有し本体（２）に結束線を結束ケース（３）をマグネット付きのケース（４）を取り付ける手段を設けた事を特徴とする鉄筋機ハサミ型ペンチ（７）を廻してねじる事で終る。手動加圧・ハンドル（７）を廻してねじる事で終る。
【発明の詳細な説明】
【技術分野】〔０００１〕
本発明は今までの作業時間を短くする鉄筋結束機
〔０００２〕
従来の道具より効率の良い作業が出来る
〔０００３〕
現在の使われているハッカーより楽に作業が進められる
〔０００４〕
現在使われているハッカーよりも効率が良い
〔０００５〕
発明が解決するための手段
〔０００６〕
発明を実施するための最良の形態
電気も空気圧力も使わずにすむ小型の鉄筋結束機
ビル建築の他に畑の柵にも使える
〔発明の効果〕
〔０００７〕
本発明以上に説したように、以下に記載される効果を表す。
また、結束時に凸型結束線（１１）をねじる事によって確実に結束が出来る。
〔図面の簡単な説明】
〔０００８〕
〔図１〕鉄筋結束機本体
〔図２〕本体についている
〔図３〕本体内部凸型押し出し部分
〔図４〕本体の一部である結束線収納ケース
〔図５〕本体の一部であるマグネット付収納ケース
〔図６〕本体の一部である金型
〔図７〕結束線１１が移動した型
〔図８〕結束線１１がねじれはじめる状態
2009221828.tif 000003
〔図１０〕本体内部にある押し出し金具
〔図１１〕本体全体１を横面より見た全体図
〔図１２〕本部１に付いている圧力スプリング１２
〔図１３〕結束線が完全によじれた状態
【図１】
2009221828.tif 000004
【図３】
2009221828.tif 000005
【図２】
2009221828.tif 000006
【図４】
2009221828.tif 000007
【図５】
2009221828.tif 000008
【図７】
2009221828.tif 000009
【図９】
2009221828.tif 000010
【図６】
2009221828.tif 000011
【図８】
2009221828.tif 000012
【図１０】
2009221828.tif 000013
【図１１】
2009221828.tif 000014
【図１２】
2009221828.tif 000015
【図１３】
2009221828.tif 000016
(57)【要約】【課題】住居等の省エネのため、遮光ネット付ガラス戸ッシを提供する。【解決手段】住居等のガラス戸のアルミサッシ枠室外側又は室内側に鉄片を接着し、遮光ネットをアルミサッシ枠の大きさに形成し、その四周にアルミサッシ枠の鉄片と対応する位置に磁石を取り付け、この鉄片に磁石を吸着させてガラス戸の外側又は内側に遮光ネットを張設することを特徴とする遮光ネット付ガラス戸。  遮光ネットをガラス戸の大きさに形成し、ガラス戸内側のガラス板に合成樹脂製の横穴式吸着盤を吸着させ、遮光ネットに縛着紐を取り付けガラス戸内側に遮光ネットを張設することを特徴とする請求項１に記載の遮光ネット付ガラス戸。【選択図】図１
2009221826.tif 000002
【特許請求の範囲】
【請求項１】
住居等のガラス戸のアルミサッシ枠室外側又は室内側に鉄片を接着し、遮光ネットをアルミサッシ枠の大きさに形成し、その四周にアルミサッシ枠の鉄片と対応する位置に磁石を取り付け、この鉄片に磁石を吸着させてガラス戸の外側又は内側に遮光ネットを張設したことを特徴とする遮光ネット付ガラス戸。
【請求項２】
遮光ネットをガラス戸の大きさに形成し、ガラス戸内側のガラス板に合成樹脂製の横穴式吸着盤を吸着させ、遮光ネットに縛着紐を取り付けガラス戸内側に遮光ネットを張設したことを特徴とする請求項１に記載の遮光ネット付ガラス戸。
【発明の詳細な説明】
【技術分野】
【０００１】  本発明は、住居等のガラス戸から室内に入る太陽光線を削減して、冷房負担を軽減させる遮光ネット付ガラス戸に関するものである。
【発明の開示】
【発明が解決しようとする課題】
【０００２】    そのために、次のような問題点があった。
（イ）木造住居やマンションのガラス戸で、外壁開口部にアルミサッシ枠が取付けられ  ている場合、外壁に遮光ネット張設用金具を、取付けることは困難である。
（ロ）遮光ネットは夏季冷房の負担を軽減することで、その他の季節は太陽光線を遮光  する必要がなく、遮光ネットを取外す必要から、着脱が容易であること。
（ハ）ガラスに遮光フイルムを貼付すれば、一年中そのままで室内が薄暗くなる。
（ニ）高所階では、ガラス戸外部に遮光ネットを展張することは危険である。
本発明は以上の問題点を解決しようとするものである。
【問題を解決するための手段】
【０００３】    住居等のガラス戸のアルミサッシ枠室外側又は室内側に鉄片を接着し、遮光ネットを  アルミサッシ枠の大きさに形成し、その四周にアルミサッシ枠の鉄片と対応する位置に  磁石を取り付け、この鉄片に磁石を吸着させてガラス戸の外側又は内側に遮光ネットを  張設することを特徴とする遮光ネット付ガラス戸である。
遮光ネットをガラス戸の大きさに形成し、ガラス戸内側のガラス板に合成樹脂製の横  穴式吸着盤を吸着させ、遮光ネットに縛着紐を取り付けガラス戸内側に、遮光ネットを  張設することを特徴とする遮光ネット付ガラス戸である。
【発明の効果】
【０００４】  本発明は、夏季ガラス戸から室内に入射する太陽光線を削減して、冷房負担を軽減して省エネ効果を得る事ができ、夏季以外の季節、太陽光線を必要とする時節には簡単に取外すことができ、着脱が容易で、万一窓枠から脱落しても人や他物に損害をあたえない。
【発明を実施するための最良の形態】
【０００５】  以下、本発明の実施の形態について説明する。
（イ）建物のガラス戸のアルミサッシ枠（１）の外側又は内側に、枠の幅、長さに相応  して磁石に良く吸着する鉄片（２）を、接着材でアルミサッシ枠（１）に接着する。
（ロ）遮光ネット（３）をアルミサッシ枠（１）の大きさに形成し、四周を布テープで  縫合補強（４）してアルミサッシ枠（１）に貼り付けた鉄片（２）に対応する位置に、  マグネットバー等出来うる限り強力な磁石（５）を、遮光ネット（３）の周囲に取り付  ける。
（ハ）ガラス戸のガラス板（６）内側に横穴式吸着盤（７）を吸着させる。
本発明は、以上の構成よりなっている。
本発明を使用するときは、アルミサッシ枠（１）に貼り付けた鉄片（２）に、遮光ネット（３）の磁石（４）を吸着させ、遮光ネット（３）をガラス戸外側又は内側に張設するか、ガラス戸外側、内側アルミサッシ枠に鉄片（２）の貼り付けが困難な場合は、ガラス戸内側のガラス板（６）に横穴式吸着盤（７）を吸着させて遮光ネットを張設するも、ガラス戸開閉時は一方のガラス板の横穴式吸着盤の取り付け位置を、変えてやる事で自由に開閉できる。
【図面の簡単な説明】
【０００６】
【図１】  本発明のアルミサッシ枠の正面図
【図２】  本発明の鉄片の正面図
【図３】  本発明の遮光ネットの正面図
【図４】  本発明のマグネットバー等マグネットの正面図
【図５】  本発明の横穴式吸着盤側面図
【図６】  本発明のガラス戸、アルミサッシ枠に遮光ネット取付け図
【図７】  本発明のガラス板に横穴吸着盤、遮光ネット取付け図
【符号の説明】
【０００７】    １  ガラス戸アルミサッシ枠
２  鉄片
３  遮光ネット
４  遮光ネット四周縫合部
５  磁石
６  ガラス板
７  横穴式吸着盤
【図１】
2009221826.tif 000003
【図２】
2009221826.tif 000004
【図３】
2009221826.tif 000005
【図４】
2009221826.tif 000006
【図５】
2009221826.tif 000007
【図６】
2009221826.tif 000008
【図７】
2009221826.tif 000009
(57)【要約】【課題】従来の建材には壁紙や塗壁が多く使用されているが、湿気の吸放出の不足がカビを発生させる。またホルムアルデヒド等の有機化合物の吸着、吸収、分解の機能を有しない事から健康問題が認識されてきた。現在ある珪藻土の塗壁や塗装においては、糊材の使用が不可欠であり、左官技術を伴い費用が発生する。また技術だけでは解決しない脱落やクラックが発生する。工程が必要な分工期がかかり接着剤や糊材の有害性や珪藻土のもつ効果の減少がある。本発明はこれを解決する。【解決手段】多孔質な木材本来の通気性、吸湿性の特徴をいかし、その木材の構造物の内部空間に、より高い通気性と吸放湿性を備えた微細な多孔をもつ珪藻土を充填する事により建材性能を高め、一体型建材として珪藻土の持つ環境機能を提供する。【選択図】図３
2009221827.tif 000002
【特許請求の範囲】
【請求項１】
構造物の内部空間に珪藻土を保持する事を特徴とした建材。
【請求項２】
木材の構造物に珪藻土の粉末または顆粒を内在し保持する事を特徴とした建材。
【請求項３】
複数の組み合せからなる板材の内部空間に珪藻土の粉末または顆粒を備えた板状建材。
【請求項４】
構造物に通気孔を設け、珪藻土を内在し通気性のあるシートを用いたことを特徴とした板状建材。
【請求項５】
表面板材と裏面板材の両方もしくは片面に通気孔を設け、珪藻土を内在し通気性のあるシートを用いたことを特徴とした板状建材。
【請求項６】
珪藻土の粉末または顆粒をとり入れたキャビネッット状態とする建材。
【請求項７】
珪藻土を内在することにより建材の性能を高めることを特徴とした建材。
【請求項８】
構造内部に珪藻土を内在することで珪藻土のもつ性能の吸湿性、放湿性、耐火性、断熱性、放射線遮蔽性、生活臭や有害物質の吸着、吸収、分解の能力をもつ一体型建材。
【発明の詳細な説明】
【技術分野】
【０００１】本発明は建物に使用される建材で、環境機能を発揮する建材製造に関する物である。
【背景技術】
【０００２】珪藻土壁は、壁からの剥離現象やひび割れを発生するが住環境に非常に良く作用する。また、珪藻土を使用した放射線遮蔽技術がある。
【特許文献】特願２００５−９２７３５
【発明の開示】
【発明が解決しようとする課題】
【０００３】従来の建材には壁紙や塗壁が多く使用されているが、湿気の吸放出の不足がカビを発生させる。またホルムアルデヒド等の有機化合物の吸着、吸収、分解の機能を有しない事から健康問題が認識されてきた。現在ある珪藻土の塗壁や塗装においては、糊材の使用が不可欠であり、左官技術を伴い費用が発生する。また技術だけでは解決しない脱落やクラックが発生する。工程が必要な分工期がかかり接着剤や糊材の有害性や珪藻土のもつ効果の減少がある。本発明はこれを解決する。
【課題を解決するための手段】
【０００４】多孔質な木材本来の通気性、吸湿性の特徴をいかし、その木材の構造物の内部空間に、より高い通気性と吸放湿性を備えた微細な多孔をもつ珪藻土を充填する事により建材性能を高め、一体型建材として珪藻土の持つ環境機能を提供する。
【発明の効果】
【０００５】本発明により、珪藻土のもつ性能の吸湿性、放湿性、耐火性、断熱性、放射線遮蔽性、生活臭やホルムアルデヒド等の有害物質の吸着、吸収、分解の能力を建材に付与し住環境の良好化に寄与する。また、一体型建材であることから工期の短縮による経済効果がある。
【発明を実施するための最良の形態】
【０００６】木材構造に建材としての性能のある美装性の高い木材を用い、空間内部に珪藻土を加圧充填し製造する。連結機能をもつ木材構造によるパネル型にすることで工事が容易になり美観にも優れている。仕様に合わせて木材構造の表面、裏面の一方または両面に通気孔を設け、通気性の高いシートを使用して構成することで性能の効果を高められる。
【産業上の利用可能性】
【０００７】シックハウス問題や住環境からくる健康問題に大きな改善効果を与える利用可能性をもつ。【０００８】原子力発電所や放射能処理施設、医療機関や研究機関、シェルター等放射線被爆可能性の高い建物の遮蔽壁への内装建材として放射線遮蔽能力の向上への利用可能性をもつ。【０００９】本発明の構造内部にある不燃耐火性の珪藻土が火災時に延焼を遅滞させるまたは防止する。更には砂をかけるのと同様の効果で鎮火させるにつながる構造発展性をもち、防火への利用可能性をもつ。
【図面の簡単な説明】
【００１０】
【図１】珪藻土内在構造断面図
【図２】通気孔モデル両面タイプ断面図
【図３】通気孔モデル片面タイプ断面図
【符号の説明】
【００１１】１、表板材
２、珪藻土
３、裏板材
４、通気性シート
５、通気孔
【図１】
2009221827.tif 000003
【図２】
2009221827.tif 000004
【図３】
2009221827.tif 000005
(57)【要約】 【課題】      陵墓参拝の納骨作業の際に膝をつかず衣類の汚れなどを気にせずに納骨が行える納骨墓石の構造を提供する。【解決手段】      本発明は外引き出しの構造を墓石の納骨部に取り入れることにより墓石自体の高さを低く抑えても容易に納骨作業が行える。【選択図】図１
2009221661.tif 000002
【特許請求の範囲】
【請求項１】
一般に外柵と呼ばれる、納骨部分を持つ土台付き墓石に於いて、遺骨の収納部に引き出し式のキャスター付き棚を用いた墓石構造。
【請求項２】
一般に外柵と呼ばれる、納骨部分を持つ土台付き墓石に於いて、遺骨の収納部に複数の引き出し式のキャスター付き棚を用いた墓石構造。
【請求項３】
前記の複数のキャスター付き棚に於いて複数の棚の内一部をそのほかの棚より奥行きを短くし、その短い部分に地中埋葬用のカロートを埋め込んだ墓石構造。
【発明の詳細な説明】
【技術分野】
【０００１】
本発明は、一般に外柵と呼ばれる、納骨部分を持つ土台付き墓石に於いて従来より容易に遺骨の収納が可能な墓石構造に関する。
【背景技術】
【０００２】
集団霊園の墓石は密集して配置されているため各個の墓地は正面方向にしか開口部が取れなくなっている場合が多い。そのため遺骨の収納口も必然的に正面側部か上部しか開けられない。正面側部から納骨する方式の墓石はその部分に観音式の扉がある。上部から納骨する方式の場合は正面上部にマンホールのような縦穴状の入り口をもうけ、方形の拝石と呼ばれる蓋状の石をその上に置き扉としている。
【発明の開示】
【発明が解決しようとする課題】
【０００３】
技術背景の項にも記したが一般的な墓石の納骨口の方式は正面側部扉式か、上部マンホール式（カロート式とも言う）の２つが考えられる。正面側部に納骨収納口を設ける場合は観音開きの扉などを設ける構造が一般的であるが、この場合墓石のデザインの影響や墓地規約などにより扉開口部に十分な高さが取れず、納骨の際に膝をついた姿勢でないと納骨が行えない。納骨を行う時はたいてい喪服を着用していることが多く膝をついての納骨作業では、墓参時にこぼれた掛水などにより衣服が汚れるなどの問題があった。また上部に納骨収納口を設けた墓石の場合は構造上の問題であるが、納骨室の天井が開くわけであり、開閉できる蓋でなければならないので防水シーリングなどは施工できない。このため雨水や墓参時の掛水が納骨室に侵入しやすいという問題がある。以上のように一般的な二つの方式はそれぞれの欠点があり万全とはいえない、水が進入しにくく納骨が容易に行える方式が求められる。
【課題を解決するための手段】
【０００４】
本発明は納骨室には扉があり遺骨は棚に並べるという固定概念に近い考えを止め、家具などに使われている引き出しに近い物を納骨室に取り入れて問題の解決を図っている。引き出しとは言っても墓石は石材で作るという大前提があり引き出しとはいえかなりの重量になる、また非常に長期の耐久性が求められるので通常の家具などに使われている機構は用いることはできない。以上のような理由で本考案は引き出しを台車のようにし耐腐食金属製のキャスターを取り付けた、それを石に切った溝の上を走らせることにより直進性を持たせスムーズに開閉できるようにした。
【発明の効果】
【０００５】
近年は集団霊園などでは洋式の墓石も多く、デザイン上の事情で納骨部の高さが低い墓石も多い、このような墓石でも本考案を取り入れると納骨作業の際に膝をつかなくても良くなり衣類の汚れる心配もなくなる。又防水構造も容易なので雨水や掛水の侵入も防げる。
【発明を実施するための最良の形態】
【０００６】
本発明は納骨室を有する外柵と呼ばれる土台部を持ち且つ納骨室の高さがとりにくい墓石、集団霊園などのため墓石前部にしか開口部がとれない墓石、カロート方式を用いている墓石に適用するのがもっとも有効と思われる。又引き出しを開けるため墓石の前部にある程度の広さが必要になる。
【実施例】
【０００７】
以下図面に添って実施例を説明する。墓石の組み立て時に納骨墓石の参拝に当たる土間床板６より1段階高い位置に上部が来るように仕切り石９を配置する、引き出しが稼働する基部となる納骨室床板３に２のキャスターの稼働用溝７を切り込み９の上部の高さと同じ位置に取り付ける、６より高い位置に９と３を配置することにより納骨室への水の侵入を防ぐとともに引き出し１を閉めた際の止の役割も持たせる。引き出し１の前部aは収納部間口より一回り大きく作り１を収納した際鴨居ｂや９の上部及び柱８などと合わさりある程度密閉出来るようにする。防犯上に理由より錠前等を付ける場合はaとｂを繋ぐように設置する。引き出し１の構造としては底部に耐腐食金属製のキャスター２を２列に計６個設置するこのうち２個は引き出しを開けた際に重心の関係で引き出しが前部に傾くのを防ぐためcの部分に配置する。又３に切り込むレール７は５の位置で切り込みを止め、引き出し過ぎ防止のストッパーの役割を持たせる。
【０００８】
請求項３は複数の引き出しを設置する場合その内の一つの引き出しを短く作りカロートと呼ばれる遺骨を直接埋葬するための底のない箱１０を地中に埋め込み遺骨を直接地中埋葬出来るようにした物である。
【図面の簡単な説明】
【０００９】
【図１】本発明設置した墓石の例を示す斜視図
【図２】本発明の主要部分の斜視図
【図３】本発明の主要部分の透視図
【図４】本発明の主要部分の拡大透視図
【図５】本発明の可動部の模式断面図
【符号の説明】
【００１０】
１，納骨用引き出し
２，キャスター
３，納骨室床石
４，骨壺
５，車輪止
６，土間床石
７，レール溝
８，扉止兼柱
９,敷居石
１０,角形カロート
１１,カロート用短形引き出し
a,引き出し前部止板
b,鴨居部
ｃ,転倒防止キャスター部
【図１】
2009221661.tif 000003
【図２】
2009221661.tif 000004
【図３】
2009221661.tif 000005
【図４】
2009221661.tif 000006
【図５】
2009221661.tif 000007
(57)【要約】【課題】  子供が玩具で遊んでいるとき、大人は遠くで見守るしかなく、スキンシップが取れないことがあった。また、かといって、着物の表面具がついている玩具付き着物だと、大人が子供を抱くとき邪魔になったり、玩具が子供を傷つけるおそれがあった。本発明は以上の問題点を解決するためになされたもので、安全に、子供が大人に抱きかかえられながら、大人の体と本発明を使って、音を出したり、触り心地を楽しんだりでき、大人と子供のスキンシップをはかることができる。【解決手段】  着物に玩具を内設することを特徴とする、玩具を内設した着物。【選択図】図１
2009221643.tif 000002
【特許請求の範囲】
【請求項１】
トレーナー、Ｔシャツ、エプロン等の着物の内側に音の出る複数の玩具を設けたことを特徴とする玩具を内設した着物。
【発明の詳細な説明】
【技術分野】
【０００１】  本発明は、子供が大人に抱きかかえられながら、大人の体と本発明を使って、音を出したり、触り心地を楽しんだりできる、玩具を内設した着物に関するものである。
【技術背景】
【０００２】  従来は着物と玩具は別々だった。
【発明の開示】
【０００３】  そのためには次のような問題点があった。
（イ）子供が玩具で遊んでいるとき、大人は遠くで見守るしかなく、スキンシップが取れない事があった。
（ロ）玩具を着物の表面につけると、大人が子供を抱くとき玩具が邪魔になったり、玩具が子供を傷つける恐れがあった。
本発明は、以上の問題点を解決するためになされたものである。
【課題を解決するための手段】
【０００４】  トレーナー、Ｔシャツ、エプロン等の着物（１）の内側に音の出る複数の玩具を設けたことを特徴とする玩具（２）を内設した着物である。
【発明の効果】
【０００５】  子供が大人に抱きかかえられながら、大人の体と本発明を使って、音を出したり、触り心地を楽しんだりでき、大人と子供のスキンシップをはかることができる。
【発明を実施するための最良の形態】
【０００６】  トレーナー、Ｔシャツ、エプロン、ズボン等の着物（１）の裏に、プープー笛、鈴、プラスチックを薄く延ばしたフィルムをくしゃくしゃにしたものであって、音がでる玩具、柔らかいゴム製のまり等触り心地の変わっている玩具（２）をぬいつける。
または玩具（２）の取り外しができるように着物の裏にポケット（４）を作り、その中に玩具を入れる。そのときポケットにはファスナーやボタン、マジックテープ（登録商標）等で開口部が開閉できるようにしても良い。
または着物の裏に当て布をして、あて布で玩具をくるむようにして縫いつける。
または、着物の裏に玩具を、ボタンで付ける。
またはマジックテープ（登録商標）でつける。
ホックでとめる。
紐で縛る等の留め方で、着物の裏に玩具を取り付ける。
本発明は以上の構成からなるので、本発明を使用するときは、人間が本発明を着て、人間を抱きかかえ、抱きかかえられた人間が、着物に内設された玩具をたたいて音を出したり、触り心地を楽しんだりして、遊ぶ。
【図面の簡単な説明】
【０００８】
【図１】本発明の正面図
【図２】本発明の実施例２の正面図
【図３】本発明の実施例３の正面図
【図４】あて布による玩具の取り付け方の断面図
【図５】ポケットによる玩具の取り付け方の断面図
【図６】開口部がファスナーのポケットによる玩具の取り付け方の断面図
【図７】本発明の使用状態を示す正面図
【符号の説明】
【０００９】  １着物
２玩具
３アップリケ
４ポケット
５ファスナー
６あて布
【図１】
2009221643.tif 000003
【図２】
2009221643.tif 000004
【図３】
2009221643.tif 000005
【図４】
2009221643.tif 000006
【図５】
2009221643.tif 000007
【図６】
2009221643.tif 000008
【図７】
2009221643.tif 000009
(57)【要約】      （修正有）【課題】出角壁の角部及びその周辺に接触又は非接触状態で保護具を容易に取り付け、取り外しが出来、欠損汚れを防止する。【解決手段】Ｌ型状の長尺状板1に弾性体の保護材7を設け長さ調整板2を案内ピン6および固定ネジ4によりスリット3内を任意の長さに調節固定ネジ5により端部弾性体7により保持せしめる。上述のように任意の位置で保持するため、凹凸状の壁接触不可の壁等を容易保護し欠損、汚れ等を防止できる。【選択図】図１
2009221719.tif 000002
【特許請求の範囲】
【請求項１】
断面が壁の出角に合ったＬ型状の長尺状体の内面に弾性体の保護材を有し、
両端に固定材を取り付けて、壁の出角部分及び周辺を保護する保護具
【発明の詳細な説明】
【技術分野】
【０００１】
本発明は装着が容易な出角壁保護具に関するものである。
【非特許文献１】Ｈ-11-62256
【発明の開示】
【発明が解決しようとする課題】
【０００２】
各種資機材などの移動中に出角壁部に接触し破損、汚れなどが発生し補修など
経済負担も多く美観上も好ましくない、
養生材を粘着テープ等で仮止めすると外すときに壁の仕上げ材が剥離しやすい。
前述の欠点を解決しようとするものである。
【課題を解決するための手段】
【０００３】
断面が壁の出角に合ったＬ型状の長尺状体の内面に弾性体の
保護材を有した保護具に長尺方向に可動する固定部材を設け支持間隔を自在にし、
保護具の固定を容易にし問題を解決している。
【発明の効果】
【０００４】
本発明の保護具は出角部壁に密着させる事は勿論、非接触で固定可能なため
壁の形状を問わず保護に約立つ。
【図面の簡単な説明】
【０００５】
【図１】本発明の出角壁保護具の実施例をしめす正面図である。
【図２】出角壁保護具の端部を示す図である。
【符号の説明】
【０００６】
１  Ｌ型状長尺状本体
２  可動Ｌ型状長尺状板
３  スリット
４  固定可動ネジ
５  固定ネジ
６  案内ピン
７  弾性体
【図１】
2009221719.tif 000003
【図２】
2009221719.tif 000004
(57)【要約】【課題】  ポケットティッシュのように、携帯に便利で、使い勝手の良いゴミ袋を提供することを目的とするものである。【解決手段】  ゴミ袋用の樹脂製袋体がポケットサイズの容器に折りたたんで収納されていることを特徴とする携帯用ゴミ袋としたものである。【選択図】図１
2009221016.tif 000002
【特許請求の範囲】
【請求項１】
ゴミ袋用の樹脂製袋体がポケットサイズの容器に折りたたんで収納されていることを特徴とする携帯用ゴミ袋。
【請求項２】
前記のゴミ袋の取手部分が収納容器の上部を形成することを特徴とする請求項１に記載の携帯用ゴミ袋。
【請求項３】
前記の取手部分にポケットサイズの容器と同等の大きさとなるフレームが設けられており、取り出しやすくなっていることを特徴とする請求項１又は請求項２に記載の携帯用ゴミ袋。
【請求項４】
前記の収納容器の上部が切り離し構造となっていることを特徴とする請求項１から請求項３までのいずれかの項に記載の携帯用ゴミ袋。
【発明の詳細な説明】
【技術分野】
【０００１】  本発明は、衣服のポケットやバッグ等に収納して持ち歩いて使用する携帯用のゴミ袋に関するものである。
【背景技術】
【０００２】  従来、一般的には外出の際、ゴミの出ると予測される場合に、スーパーマーケット等で貰う袋やまとめて売られているゴミ袋を各自折り畳み携帯する事が主流となっていた。
【特許文献１】特開２０００−０２５９０１号公報
【特許文献２】特開２００４−１４２９３５号公報
【発明の開示】
【発明が解決しようとする課題】
【０００３】  日常的にゴミ袋を携帯する習慣が一般化していないため、携帯して使用することを主たる目的としたゴミ袋はなかった。【０００４】  本発明は、前記従来の問題点に鑑み、いわゆるポケットティッシュのように、携帯に便利で、使い勝手の良いゴミ袋を提供することを目的とするものである。
【課題を解決するための手段】
【０００５】  本発明は、上記の問題を解決するために、ゴミ袋用の樹脂製袋体がポケットサイズの容器に折りたたんで収納されていることを特徴とする携帯用ゴミ袋としたものである。【０００６】  また、本発明では、前記のゴミ袋の取手部分が収納容器の上部を形成することを特徴とする携帯用ゴミ袋としたものである。【０００７】  また、本発明では、前記の取手部分にポケットサイズの容器と同等の大きさとなるフレームが設けられており、取り出しやすくなっていることを特徴とする携帯用ゴミ袋としたものである。【０００８】  また、本発明では、前記の収納容器の上部が切り離し構造となっていることを特徴とする携帯用ゴミ袋としたものである。
【発明の効果】
【０００９】  ゴミ袋をコンパクトに携帯する事ができるため、屋外レジャーや車、列車内でのゴミの持ち帰りを促進し環境美化の一助となり得る。【００１０】  出先での急な汚れ物、子供のオムツやペットの糞等の処理等にも活用する事ができる。
また、袋が一枚ずつ取りだせるため、手軽に使え、子供が遠足等に持って行っても楽に使用する事ができる。【００１１】  また、包袋、袋体、差し込みカードに絵や文字等を入れる事で広告媒体としての使用にも有効である。
【発明を実施するための最良の形態】
【００１２】  図１は、本発明による携帯用ゴミ袋の実施例を示す図であり、（１）は、外観図であり、（２）は、収納されているゴミ袋を取り出す状態を示す図であり、上部をミシン目から切り離す前の状態を示す。【００１３】  図２は、取手部分を引き出す状態を示す図であり、（１）は、取手部を比しだした状態を示し、（２）は、収納されていたゴミ袋を容器から引き出した状態を示す。【００１４】  図３は、ゴミ袋を引き出して伸ばした状態を示す図であり、（１）は、取手部を持って引き出した状態を示し、（２）は、蛇腹状に折りたたまれたゴミ袋を広げた状態を示す。【００１５】  図４は、引き出したゴミ袋を展開した状態を示す図であり、（１）は、取手部を広げる状態を示す図であり、（２）は、袋部分を完全に展開した状態を示す。【００１６】  図５は、引き出されたゴミ袋の使用状態を示す図である。
【図面の簡単な説明】
【００１７】
【図１】本発明による携帯用ゴミ袋の実施例を示す図である。
【図２】本発明による携帯用ゴミ袋の取手部分を引き出す状態を示す図である。
【図３】本発明による携帯用ゴミ袋のゴミ袋を引き出して伸ばした状態を示す図である。
【図４】本発明による携帯用ゴミ袋の引き出したゴミ袋を展開した状態を示す図である。
【図５】本発明による携帯用ゴミ袋の使用状態を示す図である。
【図１】
2009221016.tif 000003
【図２】
2009221016.tif 000004
【図３】
2009221016.tif 000005
【図４】
2009221016.tif 000006
【図５】
2009221016.tif 000007